【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
時間間隔の間の音場を記述する複数の基底関数係数を処理する方法であって、前記方法は、
複数のチャネル信号を生成するために、前記複数の基底関数係数の第１のグループに対して可逆変換を実行することと、ここにおいて、前記複数のチャネル信号の各々は、対応する異なる空間領域と関連づけられる、
前記複数のチャネル信号に基づいて、（Ａ）前記複数の基底関数係数の第２のグループの表現と、ここにおいて、前記第２のグループは、前記第１のグループとは異なり、（Ｂ）前記第２のグループの前記表現とは別である、前記複数のチャネル信号の表現と、を含むデータ構造を生成することと
を備える、方法。
【請求項２】
前記複数の基底関数係数は、球面調和関数の基底関数の複数の係数である、
請求項１に記載の方法。
【請求項３】
前記複数のチャネル信号は、第１のラウドスピーカ位置と関連づけられた第１のチャネル信号と、前記第１のラウドスピーカ位置とは異なる第２のラウドスピーカ位置と関連づけられた第２のチャネル信号と
を含む、請求項１に記載の方法。
【請求項４】
前記複数のチャネル信号は、第１の空間方向と関連づけられた第１のチャネル信号と、前記第１の空間方向とは異なる第２の空間方向と関連づけられた第２のチャネル信号と
を含む、請求項１に記載の方法。
【請求項５】
前記第１のグループの前記係数の各々について、前記係数は、そのエネルギが、第１の平面外の任意の方向に沿うのと少なくとも同じ程度に、前記第１の平面内の少なくとも１つの方向に沿って集中された基底関数に対応し、前記第１の平面は、前記第１および第２の空間方向を含む、
請求項４に記載の方法。
【請求項６】
前記第１のグループの第１の係数は、全方向性である基底関数に対応し、
前記第１のグループの他の係数の各々について、前記係数は、そのエネルギが、第１の平面内の少なくとも１つの方向に沿って集中された基底関数に対応し、前記第１の平面は、前記第１および第２の空間方向を含む、
請求項４に記載の方法。
【請求項７】
前記第２のグループの前記係数の少なくともいくつかの各々について、前記係数は、そのエネルギが、前記第１および第２の空間方向を含む平面外の少なくとも１つの方向に沿って集中された基底関数に対応する、
請求項４に記載の方法。
【請求項８】
前記複数のチャネル信号は、チャネル信号のセットを含み、前記チャネル信号のセットの各信号は、互いに等間隔を置かれた同一平面上の方向のセットのうちの対応する異なる１つと関連づけられる、
請求項１に記載の方法。
【請求項９】
前記複数の基底関数係数の中の各々は、前記複数の基底関数係数内の対応する次数を有し、
前記複数の基底関数係数の前記第１のグループの中の各々について、前記係数の前記次数は、前記複数の基底関数係数の前記第２のグループの前記係数の前記次数の中で最も低いものよりも少ない、
請求項１に記載の方法。
【請求項１０】
前記複数の基底関数係数の中の各々は、前記複数の基底関数係数内の対応する次数を有し、
前記複数の基底関数係数の前記第２のグループの中の各々について、前記係数の前記次数は、前記複数の基底関数係数の前記第１のグループの前記係数の前記次数の中で最も高いものよりも大きい、
請求項１に記載の方法。
【請求項１１】
前記可逆変換を前記実行することは、（Ａ）前記複数の基底関数係数の前記第１のグループと、（Ｂ）可逆マトリクスとの積を計算することを備える、
請求項１に記載の方法。
【請求項１２】
前記データ構造は、前記第２のグループの前記表現を含む第１のストリームと、前記複数のチャネル信号の前記表現を含む第２のストリームとを含む、
請求項１に記載の方法。
【請求項１３】
前記方法は、前記複数のチャネル信号の各々を、時間領域サンプルのシーケンスに変換することを含み、
前記複数のチャネル信号の前記表現は、前記時間領域サンプルのシーケンスに基づく、
請求項１に記載の方法。
【請求項１４】
前記方法は、前記複数の基底関数係数を生成するために、複数のオーディオ入力信号をエンコードすることを含む、
請求項１に記載の方法。
【請求項１５】
前記複数のオーディオ入力信号の各々は、マイクロフォンアレイの対応するマイクロフォンによって生成される信号に基づく、
請求項１４に記載の方法。
【請求項１６】
時間間隔の間の音場を記述する複数の基底関数係数を得る方法であって、前記方法は、
データ構造から、（Ａ）前記複数の基底関数係数の第２のグループの表現と、（Ｂ）前記第２のグループの前記表現とは別である、複数のチャネル信号の表現とを得ることと、ここにおいて、前記複数のチャネル信号のサブセットの各々は、対応する異なる空間領域と関連づけられる、
前記複数の基底関数係数の第１のグループを生成するために、前記複数のチャネル信号の前記サブセットに対して変換を実行することと、ここにおいて、前記第１のグループは、前記第２のグループとは異なる、
を備える、方法。
【請求項１７】
前記複数の基底関数係数の各々は、直交基底関数のセットのうちの一意的な１つに対応する、
請求項１６に記載の方法。
【請求項１８】
前記複数の基底関数係数の各々は、球面調和関数の基底関数のセットのうちの一意的な１つに対応する、
請求項１６に記載の方法。
【請求項１９】
前記方法は、前記複数の基底関数係数に基づいて、第２の複数のチャネル信号を生成することを備え、
前記複数のチャネル信号の前記サブセットの各信号は、同一平面上の方向のセットのうちの対応する異なる１つと関連づけられ、
前記第２の複数のチャネル信号の各々は、３次元空間に広がる方向のセットのうちの対応する異なる１つと関連づけられる、
請求項１６に記載の方法。
【請求項２０】
前記変換は、可逆変換を備える、請求項１６に記載の方法。
【請求項２１】
前記変換は、逆変換を備える、請求項１６に記載の方法。
【請求項２２】
前記変換は、可逆変換の逆を備える、請求項１６に記載の方法。
【請求項２３】
時間間隔の間の音場を記述する複数の基底関数係数を処理するための装置であって、前記装置は、
複数のチャネル信号を生成するために、前記複数の基底関数係数の第１のグループに対して可逆変換を実行するための手段と、ここにおいて、前記複数のチャネル信号の各々は、対応する異なる空間領域と関連づけられる、
前記複数のチャネル信号に基づいて、（Ａ）前記複数の基底関数係数の第２のグループの表現と、ここにおいて、前記第２のグループは、前記第１のグループとは異なり、（Ｂ）前記第２のグループの前記表現とは別である、前記複数のチャネル信号の表現と、を含むデータ構造を生成するための手段と
を備える、装置。
【請求項２４】
前記複数の基底関数係数は、球面調和関数の基底関数の複数の係数である、
請求項２３に記載の装置。
【請求項２５】
前記複数のチャネル信号は、第１の空間方向と関連づけられた第１のチャネル信号と、前記第１の空間方向とは異なる第２の空間方向と関連づけられた第２のチャネル信号とを含む、
請求項２３に記載の装置。
【請求項２６】
前記第２のグループの前記係数の少なくともいくつかの各々について、前記係数は、そのエネルギが、前記第１および第２の空間方向を含む平面外の少なくとも１つの方向に沿って集中された基底関数に対応する、
請求項２３に記載の装置。
【請求項２７】
前記複数のチャネル信号は、チャネル信号のセットを含み、前記チャネル信号のセットの各信号は、互いに等間隔を置かれた同一平面上の方向のセットのうちの対応する異なる１つと関連づけられる、
請求項２３に記載の装置。
【請求項２８】
前記複数の基底関数係数の中の各々は、前記複数の基底関数係数内の対応する次数を有し、
前記複数の基底関数係数の前記第１のグループの中の各々について、前記係数の前記次数は、前記複数の基底関数係数の前記第２のグループの前記係数の前記次数の中で最も低いものよりも少ない、
請求項２３に記載の装置。
【請求項２９】
前記可逆変換を実行するための前記手段は、（Ａ）前記複数の基底関数係数の前記第１のグループと、（Ｂ）可逆マトリクスとの積を計算するための手段を備える、
請求項２３に記載の装置。
【請求項３０】
前記装置は、前記複数のチャネル信号の各々を、時間領域サンプルのシーケンスに変換するための手段を含み、
前記複数のチャネル信号の前記表現は、前記時間領域サンプルのシーケンスに基づく、
請求項２３に記載の装置。
【請求項３１】
前記装置は、前記複数の基底関数係数を生成するために、複数のオーディオ入力信号をエンコードするための手段を含む、
請求項２３に記載の装置。
【請求項３２】
時間間隔の間の音場を記述する複数の基底関数係数を処理するための装置であって、前記装置は、
複数のチャネル信号を生成するために、前記複数の基底関数係数の第１のグループに対して可逆変換を実行するように構成された計算器と、ここにおいて、前記複数のチャネル信号の各々は、対応する異なる空間領域と関連づけられる、
前記複数のチャネル信号に基づいて、（Ａ）前記複数の基底関数係数の第２のグループの表現と、ここにおいて、前記第２のグループは、前記第１のグループとは異なり、（Ｂ）前記第２のグループの前記表現とは別である、前記複数のチャネル信号の表現と、を含むデータ構造を生成するように構成されたデータフォーマッタと
を備える、装置。
【請求項３３】
前記複数の基底関数係数は、球面調和関数の基底関数の複数の係数である、
請求項３２に記載の装置。
【請求項３４】
前記複数のチャネル信号は、第１の空間方向と関連づけられた第１のチャネル信号と、前記第１の空間方向とは異なる第２の空間方向と関連づけられた第２のチャネル信号と
を含む、請求項３２に記載の装置。
【請求項３５】
前記第２のグループの前記係数の少なくともいくつかの各々について、前記係数は、そのエネルギが、前記第１および第２の空間方向を含む平面外の少なくとも１つの方向に沿って集中された基底関数に対応する、
請求項３２に記載の装置。
【請求項３６】
前記複数のチャネル信号は、チャネル信号のセットを含み、前記チャネル信号のセットの各信号は、互いに等間隔を置かれた同一平面上の方向のセットのうちの対応する異なる１つと関連づけられる、
請求項３２に記載の装置。
【請求項３７】
前記複数の基底関数係数の中の各々は、前記複数の内の対応する次数を有し、
前記複数の基底関数係数の前記第１のグループの中の各々について、前記係数の前記次数は、前記複数の基底関数係数の前記第２のグループの前記係数の前記次数の中で最も低いものよりも少ない、
請求項３２に記載の装置。
【請求項３８】
前記計算器は、（Ａ）前記複数の基底関数係数の前記第１のグループと、（Ｂ）可逆マトリクスとの積を計算するように構成される、
請求項３２に記載の装置。
【請求項３９】
前記装置は、前記複数のチャネル信号の各々を、時間領域サンプルのシーケンスに変換するように構成された第２の計算器を含み、
前記複数のチャネル信号の前記表現は、前記時間領域サンプルのシーケンスに基づく、
請求項３２に記載の装置。
【請求項４０】
前記装置は、前記複数の基底関数係数を生成するために、複数のオーディオ入力信号をエンコードするように構成されたエンコーダを含む、
請求項３２に記載の装置。
【請求項４１】
複数のチャネル信号を生成するために、複数の基底関数係数の第１のグループに対して可逆変換を実行することと、ここにおいて、前記複数のチャネル信号の各々は、対応する異なる空間領域と関連づけられる、
前記複数のチャネル信号に基づいて、（Ａ）前記複数の基底関数係数の第２のグループの表現と、ここにおいて、前記第２のグループは、前記第１のグループとは異なり、（Ｂ）前記第２のグループの前記表現とは別である、前記複数のチャネル信号の表現と、を含むデータ構造を生成することと
を１つまたは複数のプロセッサに行なわせる命令を記憶する、非一時的なコンピュータ可読データ記憶媒体。
【手続補正２】
【補正対象書類名】明細書
【補正対象項目名】０１２７
【補正方法】変更
【補正の内容】
【０１２７】
[0110]装置がその中に組み込まれているデバイスまたはシステムの別の動作に関連するタスクのような、装置の動作に直接的に関連しない命令の他のセットを実行するか、あるいはタスクを実行するために、ここで説明されたような装置の実装の１つまたは複数の要素が使用されることが可能である。このような装置の実装の１つまたは複数の要素が、共通の構造（例えば、異なる時間において、異なる要素に対応するコードの一部を実行するために使用されるプロセッサ、異なる時間において、異なる要素に対応するタスクを実行するように実行される命令のセット、あるいは、異なる時間において、異なる要素に対する動作を実行する、電子デバイスおよび／または光デバイスの構成）を有することも可能である。
以下に、出願当初の特許請求の範囲に記載された発明を付記する。
［Ｃ１］
時間間隔の間の音場を記述する複数の基底関数係数を処理する方法であって、前記方法は、
複数のチャネル信号を生成するために、前記複数の基底関数係数の第１のグループに対して可逆変換を実行することと、ここにおいて、前記複数のチャネル信号の各々は、対応する異なる空間領域と関連づけられる、
前記複数のチャネル信号に基づいて、（Ａ）前記複数の基底関数係数の第２のグループの表現と、ここにおいて、前記第２のグループは、前記第１のグループとは異なり、（Ｂ）前記第２のグループの前記表現とは別である、前記複数のチャネル信号の表現と、を含むデータ構造を生成することとを備える、方法。
［Ｃ２］
前記複数の基底関数係数は、球面調和関数の基底関数の複数の係数である、Ｃ１に記載の方法。
［Ｃ３］
前記複数のチャネル信号は、第１のラウドスピーカ位置と関連づけられた第１のチャネル信号と、前記第１のラウドスピーカ位置とは異なる第２のラウドスピーカ位置と関連づけられた第２のチャネル信号とを含む、Ｃ１に記載の方法。
［Ｃ４］
前記複数のチャネル信号は、第１の空間方向と関連づけられた第１のチャネル信号と、前記第１の空間方向とは異なる第２の空間方向と関連づけられた第２のチャネル信号とを含む、Ｃ１に記載の方法。
［Ｃ５］
前記第１のグループの前記係数の各々について、前記係数は、そのエネルギが、第１の平面外の任意の方向に沿うのと少なくとも同じ程度に、前記第１の平面内の少なくとも１つの方向に沿って集中された基底関数に対応し、前記第１の平面は、前記第１および第２の空間方向を含む、Ｃ４に記載の方法。
［Ｃ６］
前記第１のグループの第１の係数は、全方向性である基底関数に対応し、
前記第１のグループの他の係数の各々について、前記係数は、そのエネルギが、第１の平面内の少なくとも１つの方向に沿って集中された基底関数に対応し、前記第１の平面は、前記第１および第２の空間方向を含む、Ｃ４に記載の方法。
［Ｃ７］
前記第２のグループの前記係数の少なくともいくつかの各々について、前記係数は、そのエネルギが、前記第１および第２の空間方向を含む平面外の少なくとも１つの方向に沿って集中された基底関数に対応する、Ｃ４に記載の方法。
［Ｃ８］
前記複数のチャネル信号は、チャネル信号のセットを含み、前記チャネル信号のセットの各信号は、互いに等間隔を置かれた同一平面上の方向のセットのうちの対応する異なる１つと関連づけられる、Ｃ１に記載の方法。
［Ｃ９］
前記複数の基底関数係数の中の各々は、前記複数の内の対応する次数を有し、
前記複数の基底関数係数の前記第１のグループの中の各々について、前記係数の前記次数は、前記複数の基底関数係数の前記第２のグループの前記係数の前記次数の中で最も低いものよりも少ない、Ｃ１に記載の方法。
［Ｃ１０］
前記複数の基底関数係数の中の各々は、前記複数の内の対応する次数を有し、
前記複数の基底関数係数の前記第２のグループの中の各々について、前記係数の前記次数は、前記複数の基底関数係数の前記第１のグループの前記係数の前記次数の中で最も高いものよりも大きい、Ｃ１に記載の方法。
［Ｃ１１］
前記可逆変換を前記実行することは、（Ａ）前記複数の基底関数係数の前記第１のグループと、（Ｂ）可逆マトリクスとの積を計算することを備える、Ｃ１に記載の方法。
［Ｃ１２］
前記データ構造は、前記第２のグループの前記表現を含む第１のストリームと、前記複数のチャネル信号の前記表現を含む第２のストリームとを含む、Ｃ１に記載の方法。
［Ｃ１３］
前記方法は、前記複数のチャネル信号の各々を、時間領域サンプルのシーケンスに変換することを含み、
前記複数のチャネル信号の前記表現は、前記時間領域サンプルのシーケンスに基づく、Ｃ１に記載の方法。
［Ｃ１４］
前記方法は、前記複数の基底関数係数を生成するために、複数のオーディオ入力信号をエンコードすることを含む、Ｃ１に記載の方法。
［Ｃ１５］
前記複数のオーディオ入力信号の各々は、マイクロフォンアレイの対応するマイクロフォンによって生成される信号に基づく、Ｃ１４に記載の方法。
［Ｃ１６］
時間間隔の間の音場を記述する複数の基底関数係数を得る方法であって、前記方法は、
データ構造から、（Ａ）前記複数の基底関数係数の第２のグループの表現と、（Ｂ）前記第２のグループの前記表現とは別である、複数のチャネル信号の表現とを得ることと、ここにおいて、前記複数のチャネル信号のサブセットの各々は、対応する異なる空間領域と関連づけられる、
前記複数の基底関数係数の第１のグループを生成するために、前記複数のチャネル信号の前記サブセットに対して変換を実行することと、ここにおいて、前記第１のグループは、前記第２のグループとは異なる、を備える、方法。
［Ｃ１７］
前記複数の基底関数係数の各々は、直交基底関数のセットのうちの一意的な１つに対応する、Ｃ１６に記載の方法。
［Ｃ１８］
前記複数の基底関数係数の各々は、球面調和関数の基底関数のセットのうちの一意的な１つに対応する、Ｃ１６に記載の方法。
［Ｃ１９］
前記方法は、前記複数の基底関数係数に基づいて、第２の複数のチャネル信号を生成することを備え、
前記複数のチャネル信号の前記サブセットの各信号は、同一平面上の方向のセットのうちの対応する異なる１つと関連づけられ、
前記第２の複数のチャネル信号の各々は、３次元空間に広がる方向のセットのうちの対応する異なる１つと関連づけられる、Ｃ１６に記載の方法。
［Ｃ２０］
時間間隔の間の音場を記述する複数の基底関数係数を処理するための装置であって、前記装置は、
複数のチャネル信号を生成するために、前記複数の基底関数係数の第１のグループに対して可逆変換を実行するための手段と、ここにおいて、前記複数のチャネル信号の各々は、対応する異なる空間領域と関連づけられる、
前記複数のチャネル信号に基づいて、（Ａ）前記複数の基底関数係数の第２のグループの表現と、ここにおいて、前記第２のグループは、前記第１のグループとは異なり、（Ｂ）前記第２のグループの前記表現とは別である、前記複数のチャネル信号の表現と、を含むデータ構造を生成するための手段とを備える、装置。
［Ｃ２１］
前記複数の基底関数係数は、球面調和関数の基底関数の複数の係数である、Ｃ２０に記載の装置。
［Ｃ２２］
前記複数のチャネル信号は、第１の空間方向と関連づけられた第１のチャネル信号と、前記第１の空間方向とは異なる第２の空間方向と関連づけられた第２のチャネル信号とを含む、Ｃ２０に記載の装置。
［Ｃ２３］
前記第２のグループの前記係数の少なくともいくつかの各々について、前記係数は、そのエネルギが、前記第１および第２の空間方向を含む平面外の少なくとも１つの方向に沿って集中された基底関数に対応する、Ｃ２０に記載の装置。
［Ｃ２４］
前記複数のチャネル信号は、チャネル信号のセットを含み、前記チャネル信号のセットの各信号は、互いに等間隔を置かれた同一平面上の方向のセットのうちの対応する異なる１つと関連づけられる、Ｃ２０に記載の装置。
［Ｃ２５］
前記複数の基底関数係数の中の各々は、前記複数の内の対応する次数を有し、
前記複数の基底関数係数の前記第１のグループの中の各々について、前記係数の前記次数は、前記複数の基底関数係数の前記第２のグループの前記係数の前記次数の中で最も低いものよりも少ない、Ｃ２０に記載の装置。
［Ｃ２６］
前記可逆変換を実行するための前記手段は、（Ａ）前記複数の基底関数係数の前記第１のグループと、（Ｂ）可逆マトリクスとの積を計算するための手段を備える、Ｃ２０に記載の装置。
［Ｃ２７］
前記装置は、前記複数のチャネル信号の各々を、時間領域サンプルのシーケンスに変換するための手段を含み、
前記複数のチャネル信号の前記表現は、前記時間領域サンプルのシーケンスに基づく、Ｃ２０に記載の装置。
［Ｃ２８］
前記装置は、前記複数の基底関数係数を生成するために、複数のオーディオ入力信号をエンコードするための手段を含む、Ｃ２０に記載の装置。
［Ｃ２９］
時間間隔の間の音場を記述する複数の基底関数係数を処理するための装置であって、前記装置は、
複数のチャネル信号を生成するために、前記複数の基底関数係数の第１のグループに対して可逆変換を実行するように構成された計算器と、ここにおいて、前記複数のチャネル信号の各々は、対応する異なる空間領域と関連づけられる、
前記複数のチャネル信号に基づいて、（Ａ）前記複数の基底関数係数の第２のグループの表現と、ここにおいて、前記第２のグループは、前記第１のグループとは異なり、（Ｂ）前記第２のグループの前記表現とは別である、前記複数のチャネル信号の表現と、を含むデータ構造を生成するように構成されたデータフォーマッタとを備える、装置。
［Ｃ３０］
前記複数の基底関数係数は、球面調和関数の基底関数の複数の係数である、Ｃ２９に記載の装置。
［Ｃ３１］
前記複数のチャネル信号は、第１の空間方向と関連づけられた第１のチャネル信号と、前記第１の空間方向とは異なる第２の空間方向と関連づけられた第２のチャネル信号とを含む、Ｃ２９に記載の装置。
［Ｃ３２］
前記第２のグループの前記係数の少なくともいくつかの各々について、前記係数は、そのエネルギが、前記第１および第２の空間方向を含む平面外の少なくとも１つの方向に沿って集中された基底関数に対応する、Ｃ２９に記載の装置。
［Ｃ３３］
前記複数のチャネル信号は、チャネル信号のセットを含み、前記チャネル信号のセットの各信号は、互いに等間隔を置かれた同一平面上の方向のセットのうちの対応する異なる１つと関連づけられる、Ｃ２９に記載の装置。
［Ｃ３４］
前記複数の基底関数係数の中の各々は、前記複数の内の対応する次数を有し、
前記複数の基底関数係数の前記第１のグループの中の各々について、前記係数の前記次数は、前記複数の基底関数係数の前記第２のグループの前記係数の前記次数の中で最も低いものよりも少ない、Ｃ２９に記載の装置。
［Ｃ３５］
前記計算器は、（Ａ）前記複数の基底関数係数の前記第１のグループと、（Ｂ）可逆マトリクスとの積を計算するように構成される、Ｃ２９に記載の装置。
［Ｃ３６］
前記装置は、前記複数のチャネル信号の各々を、時間領域サンプルのシーケンスに変換するように構成された第２の計算器を含み、
前記複数のチャネル信号の前記表現は、前記時間領域サンプルのシーケンスに基づく、Ｃ２９に記載の装置。
［Ｃ３７］
前記装置は、前記複数の基底関数係数を生成するために、複数のオーディオ入力信号をエンコードするように構成されたエンコーダを含む、Ｃ２９に記載の装置。
［Ｃ３８］
有形の特徴を読み取る機械にＣ１に記載の方法を実行させる前記特徴を有する非一時的なコンピュータ可読データ記憶媒体。